(57)【要約】【課題】  有機廃棄物の微生物分解処理を行うために設けられた処理槽を容易に着脱することが可能なトイレを提供することを課題とする。【解決手段】  本発明は、有機廃棄物を微生物分解処理する分解処理部を備えたトイレであって、前記分解処理部が、処理槽２０と、前記処理槽２０内に設けられた多孔質材２１と、前記処理槽２０の底部に設けられた攪拌翼７０とを用いて構成され、前記攪拌翼７０が、前記処理槽２０の下方位置に設けられた駆動軸によって回転駆動すべく構成されていることを特徴とし、前記攪拌翼７０に設けられた被駆動軸と前記駆動軸とが着脱可能に構成されており、前記被駆動軸を前記駆動軸から離脱させることによって、前記処理槽２０を取り外すことが可能であるべく構成されている。【選択図】  図１
2006218166.tif 000002
【特許請求の範囲】
【請求項１】
有機廃棄物を微生物分解処理する分解処理部を備えたトイレであって、
前記分解処理部が、処理槽と、前記処理槽内に設けられた多孔質材と、前記処理槽の底部に設けられた攪拌翼とを用いて構成され、
前記攪拌翼が、前記処理槽の下方位置に設けられた駆動軸によって回転駆動すべく構成されている
ことを特徴とするトイレ。
【請求項２】
前記攪拌翼に設けられた被駆動軸と前記駆動軸とが着脱可能に構成されており、前記被駆動軸を前記駆動軸から離脱させることによって、前記処理槽を取り外すことが可能である
請求項１に記載のトイレ。
【請求項３】
前記攪拌翼の回転駆動によって前記多孔質材を流動させ、前記処理槽内における前記多孔質材の表面中央部分を凹状にし得る
請求項１または２に記載のトイレ。
【請求項４】
尿投入部と糞投入部とが分離して設けられ、前記糞投入部が前記処理槽と連通している
請求項１から３のいずれか1項に記載のトイレ。
【請求項５】
本体ケーシングと、前記本体ケーシング内に設けられた有機廃棄物を微生物分解処理する分解処理部と、前記本体ケーシングの上方位置に設けられた尿受けユニットとを備えたトイレであって、
前記分解処理部が、処理槽と、前記処理槽内に設けられた多孔質材と、前記処理槽の底部に設けられた攪拌翼とを用いて構成され、
前記尿受けユニットは、前記本体ケーシングとヒンジ結合されることによって開閉可能に構成されると共に、尿投入部と糞投入部とが分離して設けられ、前記糞投入部が前記処理槽と連通しており、
前記攪拌翼が、前記処理槽の底面に対して垂直に設けられた駆動軸によって回転駆動すべく構成されており、前記攪拌翼に設けられた被駆動軸と前記駆動軸とが着脱可能に構成され、前記被駆動軸を前記駆動軸から離脱させることによって、前記尿受けユニットを開放した状態で、前記処理槽を前記本体ケーシングから取り外すことが可能である
ことを特徴とするトイレ。
【発明の詳細な説明】
【技術分野】
【０００１】
本発明は、トイレに関し、詳しくは、介護等のために移動可能であって、室内に設置可能なトイレに関するものである。
【背景技術】
【０００２】
介護等に用いるために、室内に設置可能に構成されたトイレは、従来から知られている。このように室内に設置可能に構成されたトイレとしては、近年では、投入された糞尿やトイレットペーパ等の有機廃棄物を微生物分解処理するために、分解処理部を備えたものが多く知られている。（特許文献１参照）
【０００３】
具体的には、上述したようなトイレは、使用者が着座するための便座と、便座の開口部（用便口）から投入された有機廃棄物を微生物分解処理すべく設けられた分解処理部等とを用いて構成されている。分解処理部は、処理槽と、この処理槽内に設けられたおが屑と、おが屑および投入された有機廃棄物を攪拌する攪拌翼等とを用いて構成されている。
【０００４】
以上のように構成されたトイレにおいては、攪拌翼を適宜回転駆動させることによって、おが屑と有機廃棄物との攪拌混合、および微生物の活性化とを効率的に行い、有機廃棄物を微生物分解処理している。
【０００５】
【特許文献１】特開２００１−１２０４６０号公報
【発明の開示】
【発明が解決しようとする課題】
【０００６】
しかしながら、上述した従来技術にかかる室内に設置可能なトイレ（以下、単に「トイレ」ともいう。）には、次のような問題があった。
【０００７】
第一に、従来技術にかかるトイレ（例えば特許文献１に記載のトイレ）においては、攪拌翼の回転軸が処理槽を貫通すべく水平方向に設けられているものが多く、このような構成下にて、処理槽外部の駆動手段から処理槽外部の駆動軸を介して処理槽内部の攪拌翼が回転駆動すべく構成されている。
つまり、このような構成のトイレにおいては、処理槽の取り外しが困難となる。したがって、従来技術においては、処理槽内容物（有機廃棄物およびおが屑）の交換・廃棄、および処理槽の清掃等を容易に行うことができないという問題があった。
【０００８】
第二に、上記の通り、従来技術にかかるトイレは、攪拌翼の回転軸が処理槽を貫通すべく水平方向に設けられており、この攪拌翼を駆動させるための駆動手段が処理槽外部に併設される構成である。
つまり、従来技術にかかるトイレは、処理槽と駆動手段とが横並びに設けられた構成であるため、装置の小型化をはかることが困難であるという問題があった。
【０００９】
第三に、上記従来技術にかかるトイレにおいては、回転軸が水平方向に設けられた攪拌翼を用いているため、常に攪拌翼の端部のいずれかの箇所が、処理槽内のおが屑上方位置（おが屑表面）に位置することとなる。場合によっては、攪拌翼の一部がおが屑外に露出する場合もある。
したがって、このような従来技術にかかるトイレにおいては、攪拌翼に付着した有機廃棄物等がおが屑表面に位置したり、おが屑外部に露出したりすることがあるため、悪臭を発生させるおそれがあるという問題があった。
【００１０】
そこで、本発明は、上記従来技術の問題を解決するためになされたものであって、処理槽を容易に着脱することが可能なトイレを提供することを課題とする。また、本発明は、装置の小型化を図ることが可能なトイレを提供することを課題とする。さらに、本発明は、悪臭の発生を低減可能なトイレを提供することを課題とする。
【課題を解決するための手段】
【００１１】
本発明は、上記課題を解決するためになされたものであって、有機廃棄物を微生物分解処理する分解処理部を備えたトイレであって、前記分解処理部が、処理槽と、前記処理槽内に設けられた多孔質材と、前記処理槽の底部に設けられた攪拌翼とを用いて構成され、前記攪拌翼が、前記処理槽の下方位置に設けられた駆動軸によって回転駆動すべく構成されていることを特徴としている。
【００１２】
このような構成によれば、従来技術にかかるトイレのように、処理槽を水平方向に貫通して設けられた駆動軸によって回転駆動するのではなく、前記処理槽の下方位置に垂直方向に設けられた前記駆動軸によって回転駆動する。したがって、このような構成によれば、従来技術のように、攪拌翼を駆動させるための駆動手段を処理槽外部に（横並びに）併設させる必要がないため、トイレの小型化を実現することができる。
【００１３】
また、本発明にかかるトイレにおいては、前記攪拌翼に設けられた被駆動軸と前記駆動軸とが着脱可能に構成されており、前記被駆動軸を前記駆動軸から離脱させることによって、前記処理槽を取り外すことが可能である構成が好ましい。
【００１４】
この好ましい構成によれば、前記処理槽を簡単に取り外すことが可能であるため、前期処理槽内の内容物（有機廃棄物および多孔質材（例えば、おが屑））の交換・廃棄、および前記処理槽の清掃等を容易に行うことができる
【００１５】
また、本発明にかかるトイレにおいては、前記攪拌翼の回転駆動によって前記多孔質材を流動させ、前記処理槽内における前記多孔質材の表面中央部分を凹状にし得る構成が好ましい。つまり、本発明においては、前記処理槽内の前記多孔質材に「渦」を形成するように流動させる構成であることが好ましい。
【００１６】
この好ましい構成によれば、前記多孔質材（例えば、おが屑）の表面に糞が投入された場合、前記多孔質材の渦状の流動によって、糞は前記多孔質材内部に適切に包含されることとなる。また、糞と共に投入されたトイレットペーパについても、同様に、前記多孔質材内部に包含されることとなる。
【００１７】
ここで、前記攪拌翼は前記処理槽の底部に設けられており、前記多孔質材の外部に露出することはない。また、前記攪拌翼によって、前記多孔質材が渦状に流動するため、糞やトイレットペーパ等の有機廃棄物は、適切に前記多孔質材内に包含される。したがって、この好ましい構成によれば、前記攪拌翼に付着した有機廃棄物等が前記多孔質材表面に位置したり、前記多孔質材外部に露出したりすることがない。よって、この好ましい構成によれば、悪臭を発生させる可能性を低減することができる。
【００１８】
また、本発明にかかるトイレにおいては、尿投入部と糞投入部とが分離して設けられ、前記糞投入部が前記処理槽と連通している構成が好ましい。
【００１９】
この好ましい構成によれば、尿が前記尿投入部を介して糞とは異なる箇所（例えば、尿容器）に単独で貯留されるため、アンモニアの発生が抑制され、悪臭を発生させる可能性を低減することができる。また、例えば、尿容器内に殺菌剤等を混ぜることによって、雑菌による分解を抑えることができる。
【００２０】
さらに、本発明は、上記課題を解決するためになされたものであって、本体ケーシングと、前記本体ケーシング内に設けられた有機廃棄物を微生物分解処理する分解処理部と、前記本体ケーシングの上方位置に設けられた尿受けユニットとを備えたトイレであって、前記分解処理部が、処理槽と、前記処理槽内に設けられた多孔質材と、前記処理槽の底部に設けられた攪拌翼とを用いて構成され、前記尿受けユニットは、前記本体ケーシングとヒンジ結合されることによって開閉可能に構成されると共に、尿投入部と糞投入部とが分離して設けられ、前記糞投入部が前記処理槽と連通しており、前記攪拌翼が、前記処理槽の底面に対して垂直に設けられた駆動軸によって回転駆動すべく構成されており、前記攪拌翼に設けられた被駆動軸と前記駆動軸とが着脱可能に構成され、前記被駆動軸を前記駆動軸から離脱させることによって、前記尿受けユニットを開放した状態で、前記処理槽を前記本体ケーシングから取り外すことが可能であることを特徴としている。
【発明の効果】
【００２１】
本発明によれば、有機廃棄物の微生物分解処理を行うために設けられた処理槽を容易に着脱することが可能なトイレを得ることができる。また、本発明によれば、装置の小型化を図ることが可能なトイレを得ることができる。さらに、本発明によれば、悪臭の発生を低減可能なトイレを得ることができる。
【発明を実施するための最良の形態】
【００２２】
以下、図面に基づいて、本発明の実施形態を説明する。
【００２３】
図１は、本発明の実施形態にかかる有機廃棄物を微生物分解処理する分解処理部を備えたトイレ１（以下、単に「トイレ」ともいう。）の概略断面模式図を示したものである。図２は、図１に示されたトイレの尿受けユニット（後述する。）を開放した状態の概略断面模式図を示したものである。また、図３は、図１に示されたトイレの便座（後述する。）に使用者が着座した状態の概略断面模式図を示したものである。本実施形態にかかるトイレ１は、介護等のために移動可能であって、室内に設置可能な構成を有している。
【００２４】
図１に示すように、本実施形態にかかるトイレ１は、本体ケーシング１０、この本体ケーシング１０内に設けられた処理槽２０、本体ケーシング１０の上方位置に設けられた尿受けユニット３０、尿受けユニット３０の上方位置に設けられた便座４０、便座４０の上方位置に設けられた蓋部５０、処理槽２０内に設けられた攪拌翼７０、および攪拌翼７０を回転駆動させるために設けられた駆動手段６０等を用いて構成されている。
【００２５】
本体ケーシング１０内には、上述した処理槽２０、駆動手段６０等の他に、尿容器１２が設けられている。この尿容器１２には、尿受け部１３に連通した尿配管１４が設けられている。
【００２６】
処理槽２０内には、有機廃棄物を微生物分解処理するために、おが屑２１（本発明の「多孔質材」に相当）が設けられている。また、処理槽２０の底面部（内側）には、おが屑２１を攪拌・混合させるために、攪拌翼７０が設けられている。なお、処理槽２０内には、おが屑２１が投入されているが、トイレ１の使用に伴い、おが屑２１内には糞等が投入される。そして、このおが屑２１は、糞と攪拌混合されて、単なる「おが屑」ではなく、有機肥料等に使用可能な有機物となる。しかしながら、以下の説明においては、説明の煩雑さを避けるために、糞が投入される前後に関わらず、「おが屑」として説明を行う。
【００２７】
処理槽２０内のおが屑２１は、初期投入時の水分量が４０％〜５０％程度（好ましくは、４０％）に調整されている。これは、風乾おが屑を使用すると初期臭が発生するからである。本実施形態によれば、処理槽２０内において、攪拌翼７０が所定時間毎に回転駆動することによって、処理槽２０内で糞とおが屑２１とが攪拌混合され、糞の水分が適切におが屑２１に吸収される。加えて、このおが屑２１が担体となって好気性の菌が効率的に増殖する。したがって、このような構成によれば、糞に対して効果的に微生物分解処理を施すことが可能となるので、におい、容量、および重量を低減させることができる。つまり、処理槽内２０のおが屑２１と有機廃棄物（糞等）とを含んだ内容物は、においや重量等の少ない有機物とすることができる。この有機物は、有機肥料としての使用が可能である。なお、本実施形態によれば、糞から発生するメチルカプタン、アンモニア、インドール等の臭気ガスはおが屑２１に吸着するため、においを低減することができる。
【００２８】
また、処理槽２０の底面部（外側）には、処理槽２０内のおが屑２１の水分調整を行うために、ヒータ２４が設けられている。このヒータ２４は、例えば、ニクロムヒータを用いて構成されており、処理槽２０内の温度を４０℃〜６０℃の範囲内に制御する。この温度制御は、おが屑２１内の微生物の発酵促進、おが屑２１の水分調整（蒸発調整）、あるいはおが屑２１内の殺菌処理（雑菌（有害菌）を死滅させるための処理）等のために行われる。なお、これらの図においては、省略しているが、処理槽２０内あるいはその近傍には（本体ケーシング１０内には）、おが屑２１の温度を測定するための温度計が設けられており、その温度計の測定値に基づいて、ヒータ２４がＯＮ／ＯＦＦ制御（あるいは比例制御）されて、処理槽２０内（のおが屑２１）が適切な温度に制御される。
【００２９】
尿受けユニット３０は、その右方上端部３６と、本体ケーシング１０の右方上端部１６とがヒンジ結合（図示省略）されることによって、本体ケーシング１０に対して、開閉可能に構成されている。図１は、尿受けユニット３０が閉止状態である場合を示しており、図２は、尿受けユニット３０が開放状態である場合を示している。また、尿受けユニット３０には、糞投入部３１、尿投入部３２が設けられており、この尿投入部３２の先端には、尿排出部３３が設けられている。この尿排出部３３は、尿受けユニット３０が閉止状態のときに（図１参照）、上述した尿受け部１３に連通すべく構成されている。
【００３０】
便座４０は、尿受けユニット３０の上方位置に設けられ、尿受けユニット３０とヒンジ結合（図示省略）されているため、必要に応じて開閉可能である。また、この便座４０には、糞尿を投入可能な開口部４１が設けられている。図３に示すように、使用者Ｈは、この便座４０に着座した状態で排泄行為等を行い、尿Ｎは、開口部４１および尿投入部３２等を経て尿容器１２に導かれ、糞Ｂは、開口部４１および糞投入部３１を経て処理槽２０内に導かれる。なお、この便座４０は、電気ヒータあるいは温水等を用いた「暖房便座」としてもよい。さらに、この便座４０の近傍には、温水洗浄装置を設けてもよい。
【００３１】
蓋部５０は、便座４０の上方位置に設けられ、便座４０とヒンジ結合（図示省略）されているため、必要に応じて開閉可能である。例えば、この蓋部５０には、開閉センサ（図示省略）が設けられており、蓋部５０を開放状態とすると同時に、処理槽２０内に設けられた攪拌翼７０が回転駆動すべく構成されている。また、蓋部５０を閉止状態とすると、処理槽２０内に設けられた攪拌翼７０を一定時間回転駆動させるべく（定期攪拌すべく）構成されている。
【００３２】
図４は、本実施形態にかかるトイレ１を構成する処理槽２、攪拌翼７０、および駆動手段６０の拡大概略断面模式図を示したものである。また、図５は、図４のＶ部領域（破線領域）の部分拡大断面図を示したものであって、図５（ａ）は、駆動軸６３と被駆動軸９１とが装着状態にある図を示し、図５（ｂ）は、駆動軸６３と被駆動軸９１とが離脱状態にある図を示している。
【００３３】
この図４に示すように、本実施形態にかかるトイレ１は、処理槽２０内のおが屑２１を攪拌処理するために、処理槽２０の底面２０Ａの内面側に攪拌翼７０が設けられている。また、この処理槽２０の底面２０Ａの外面側には、攪拌翼７０を回転駆動させるための駆動軸６３が設けられている。
【００３４】
駆動手段６０は、駆動軸６３と、制御部６１と、電動モータおよび減速機等からなる駆動部６２等とを用いて構成されており、必要に応じて、各種のギヤ、チェーン、ホイール等も用いられる。つまり、この駆動手段６０は、駆動軸６３を適宜、必要な回転数にて回転駆動させるべく構成されておれば、どのような態様としてもよい。本実施形態においては、駆動手段６０は、駆動軸６３を用いて、攪拌翼７０を７ｒｐｍ〜１５ｒｐｍ程度の回転数で回転駆動させるべく構成されている。この回転速度あるいは回転数は、制御部６１によって制御される。
【００３５】
なお、この制御部６１は、攪拌翼７０の回転制御の他に、必要に応じて、ヒータ２４の温度制御、処理槽２０内のおが屑２１の水分管理等を行うべく構成されている。例えば、処理槽２０の下方位置に重量計（図示省略）を設け、糞Ｂが投入されたことによる増加重量から残滓分の推定演算（糞Ｂ＝残滓＋水分＋分解成分（水＋二酸化炭素））を行って、適切な水分量を保持するように、ヒータ２４あるいは攪拌翼７０の制御（温度制御、回転制御）を行うべく、制御部６１が構成されている。つまり、制御部６１には、重量、温度等が入力され、この入力値に基づいて、制御部６１は、ヒータ２４や攪拌翼７０を制御する。
【００３６】
攪拌翼７０は、図４等に示すように、処理槽２０の底面２０Ａの内面側に設けられており、被駆動軸９１とボルト部９４とを用いて、被駆動軸９１に固着されている。そして、駆動軸６３からの回転駆動力を被駆動軸９１を介して受け、底面２０Ａに沿うように、回転駆動する。より具体的には、処理槽２０の底面２０Ａに設けられた被駆動軸９１は、軸受け部９２にて保持され、この軸受け部９２と底面２０Ａとの間には、シール部材９３が設けられている。また、この図５等においては省略しているが、軸受け部９２には、被駆動軸９１との接触部分に、ボールベアリング等が設けられている。
【００３７】
本実施形態によれば、図５に示すように、攪拌翼７０側の被駆動軸９１と、駆動手段６０側の駆動軸６３とが、容易に着脱することができるように構成されている。本実施形態においては、たとえば、駆動軸６３の凸部の断面は、六角形等の多角形形状に形成されており、被駆動軸９１の凹部の断面は、駆動軸７３に対応した形状（駆動軸６３が六角形であれば、これに対応して六角形）に形成されている。つまり、駆動軸６３と被駆動軸９１とは、嵌合自在に構成されている。
【００３８】
本実施形態にかかるトイレ１は、以上のように構成されており、上述した構成に基づいて、次のような作用効果を有する。以下、上述した図１〜図５に加えて、図６〜図８を用い、本実施形態にかかるトイレ１の作用効果を説明する。
【００３９】
ここで、図６は、本実施形態にかかるトイレ１における処理槽２０内のおが屑２１の流動状態を説明するための概略断面模式図であって、図６（ａ）が初期状態を示す図、図６（ｂ）が所定時間流動した後の状態を示す図である。また、図７は、本実施形態にかかるトイレ１を構成する攪拌翼７０を説明するための概略図であって、図７（ａ）は側面図を示し、図７（ｂ）は図７（ａ）の上面図を示し、図７（ｃ）は図７（ａ）の矢視線VII方向側面図を示している。さらに、図８は、本実施形態にかかるトイレ１を構成する攪拌翼７０の展開図を示している。
【００４０】
本実施形態にかかるトイレ１は、上述したように、有機廃棄物を微生物分解処理する分解処理部を備えたトイレであって、分解処理部が、処理槽２０と、処理槽２０内に設けられたおが屑２１と、処理槽２１の底部（底面２０Ａの内面側）に設けられた攪拌翼７０とを用いて構成され、攪拌翼７０が、処理槽２０の下方位置（底面２０Ａの外面側）に設けられた駆動軸６３によって回転駆動すべく構成されている。
【００４１】
つまり、本実施形態にかかるトイレ１を構成する処理槽２０内の攪拌翼７０は、従来技術にかかるトイレのように、処理槽を水平方向に貫通して設けられた駆動軸によって回転駆動するのではなく、処理槽２０の下方位置に垂直方向に設けられた駆動軸６３によって回転駆動する。このような構成によれば、従来技術のように、攪拌翼を駆動させるための駆動手段を処理槽外部に（横並びに）併設させる必要がない。したがって、本実施形態によれば、トイレ１の小型化を実現することができる。
【００４２】
また、本実施形態にかかるトイレ１は、攪拌翼７０に設けられた被駆動軸９１と、上述した駆動軸６３とが着脱可能に構成されており、被駆動軸９１を駆動軸６３から離脱させることによって、図５にて説明したように、処理槽２０を取り外すことが可能である。
【００４３】
本実施形態においては、図２に示すように、本体ケーシング１０の上方位置に設けられた尿受けユニット３０は、本体ケーシング１０とのヒンジ結合部を介して上方に開放状態とすることが可能である。つまり、本実施形態によれば、尿受けユニット３０を開放状態とすることによって、処理槽２０を容易に、本体ケーシング１０から取り外すことができる。したがって、このような構成によれば、処理槽２０内の内容物（有機廃棄物およびおが屑２１）の交換・廃棄、および処理槽２０の清掃等を容易に行うことができる。
【００４４】
また、本実施形態にかかるトイレ１は、攪拌翼７０の回転駆動によって処理槽２０内のおが屑２１を流動させ、処理槽２０内におけるおが屑２１の表面中央部分を凹状となるように構成されている。
【００４５】
つまり、本実施形態によれば、攪拌翼７０を回転駆動させることによって、処理槽２０内のおが屑２１に「渦」を形成するように流動させ、処理槽２０内におけるおが屑２１の表面中央部分２１Ｂを凹状としている（図６（ｂ）参照）。処理槽２０内におが屑２１を投入した初期状態（図６（ａ）参照）においては、おが屑２１の表面２１Ａはほぼ平坦な状態であるが、この状態から攪拌翼７０を回転駆動させることによって、おが屑２１は処理槽２０の内側から外側に流動させられ、おが屑２１全体が「渦」状に流動する。すなわち、図６（ｂ）の矢印Ｓに示すように、攪拌翼７０によって処理槽２０の内側から外側に押し出されたおが屑２１は、処理槽２０の側面２０Ｂに達した後に、処理槽２０の側面２０Ｂに沿って上昇し、ある程度上方に達した後に、処理槽２０の中央部に向かって流動（流下）することとなる。
【００４６】
このような構成によれば、おが屑２１の表面（平坦表面２１Ａあるいは凹状表面２１Ｂ）に糞Ｂが投入された場合、おが屑２１の渦状の流動によって、糞Ｂはおが屑２１内部に適切に包含されることとなる。また、糞Ｂと共に投入されたトイレットペーパについても、同様に、おが屑２１内部に包含されることとなる。
【００４７】
本実施形態にかかるトイレ１によれば、上述したように、攪拌翼７０は、常におが屑２１の内部に位置し、おが屑２１外部に露出することはない。また、攪拌翼７０によって、おが屑２１が渦状に流動するため、糞Ｂやトイレットペーパ等の有機廃棄物は、適切におが屑２１内に包含される。したがって、本実施形態によれば、攪拌翼に付着した有機廃棄物等がおが屑表面に位置したり、おが屑外部に露出したりすることがない。よって、本実施形態によれば、悪臭を発生させる可能性を低減することができる。
【００４８】
また、攪拌翼７０の回転駆動によって、おが屑２１内に効果的に空気（酸素）の供給を行うことができる。したがって、おが屑２１内における微生物分解処理を活性化することができる。加えて、攪拌翼７０の回転駆動によって、おが屑２１の乾燥処理にも寄与することとなる。
【００４９】
ところで、上述したような「渦」状の流動形態をおが屑２１に発生させるために、本実施形態にかかる攪拌翼７０は、図７に示すように構成されている。また、この図７に示した本実施形態にかかる攪拌翼７０は、図８の展開部材８０を用いて構成されている。
【００５０】
図８に示す展開部材８０は、ステンレス等の板状部材を打ち抜いて構成されたものであり、実線部分が切り込み線、破線部分が折り曲げ線（谷折線あるいは山折線）となる。
【００５１】
図８の中央部８９（図７における中央部７９に相当）を固定した状態で、第一展開部８１を第一山折線８１ａに沿って約９０度折り曲げて、第一谷折線８１ｂに沿って約１３５度折り曲げることによって、図７の第一翼部７１が形成される。また、中央部８９を固定した状態で、第五展開部８５を第五山折部８５ａに沿って約４５度折り曲げて、第五展開部８５を固定した状態で、第四展開部８４を第四谷折線８４ｂに沿って約４５度折り曲げることによって、図７の第五傾斜翼部７５および第四平板翼部７４が形成される。また、第四展開部８４を固定した状態で、第二展開部８２を第二谷折線８２ｂに沿って約２５度折り曲げて、第三展開部８３を第三山折線８３ａに沿って約２５度折り曲げることによって、図７の第二翼部７２および第三翼部７３が形成される。
【００５２】
本実施形態によれば、以上のように構成された攪拌翼７０の中央部７９に穿孔された取付孔７９Ａに被駆動軸９１を挿通させ、この被駆動軸９１とボルト部９４とによって、攪拌翼７０が固定されている。そして、このように構成された攪拌翼７０を用いることによって、上述したように、処理槽２０内のおが屑２１を内側から外側に押し出して、おが屑２１に、「渦」状の流動形態を発生させることができる。なお、本実施形態にかかる攪拌翼７０は、処理槽２０の上方位置から見て図７（ｂ）のように取り付けられており、この状態で時計回りに回転駆動して、おが屑２１に、「渦」状の流動形態を発生させる。
【００５３】
さらに、本実施形態にかかるトイレ１は、尿投入部３２と糞投入部３１とが分離して設けられ、糞投入部３１が処理槽２０と連通している。つまり、尿受けユニット３０に設けられた尿投入部３２に投入された尿Ｎは、尿投入部３２、尿排出部３３、尿受け部１３、および尿配管１４を介して、尿容器１２に貯留される。一方、糞Ｆは、先にも説明したように、糞投入部３１等を介して、処理槽２０内のおが屑２１上に投入される。
【００５４】
このような構成によれば、尿Ｎが尿容器１２に単独で貯留されるため、アンモニアの発生が抑制され、悪臭を発生させる可能性を低減することができる。なお、この尿容器１２内に殺菌剤等を混ぜることによって、雑菌による分解を抑えることができる。また、この尿容器１２内の尿Ｎは、二日程度で廃棄することが好ましい。
【００５５】
なお、本発明は、上記実施形態に限定されるものではなく、本発明の趣旨に適合し得る範囲で必要に応じて種々の変更を加えて実施することも可能であり、それらはいずれも本発明の技術的範囲に含まれる。
【００５６】
例えば、上記実施形態においては、処理槽２０内に設ける攪拌翼として図７等にて示した攪拌翼７０を用いる場合について説明したが、本発明はこの構成に限定されない。つまり、本発明にて用いられる攪拌翼は、図７等に示した構成に限定されず、おが屑２１に対して「渦」状の流動形態を形成可能であれば、攪拌翼の形状は特に限定されない。したがって、例えば、図９に示すような攪拌翼１００を用いてもよい。
【００５７】
図９は、他の実施形態にかかるトイレを構成する攪拌翼１００を説明するための概略図であって、図９（ａ）は側面図を示し、図９（ｂ）は図９（ａ）の上面図を示し、図９（ｃ）は図９（ａ）の矢視線IX方向側面図を示している。
【００５８】
この他の実施形態にかかる攪拌翼１００は、中央部１０９に連接して第五傾斜翼部１０５を有し、この第五傾斜翼部１０５に連接して第四平板翼部１０４を有し、この第四平板翼部１０４の延長上にある第三平板翼部１０３上に垂直翼部１０６を有し、第四平板翼部１０４から約２５度上方に傾斜した第二傾斜翼部１０２を有している。
このような構成にかかる攪拌翼１００を用いた場合であっても、先に説明した実施形態の場合と同様に、処理槽２０内のおが屑２１を内側から外側に押し出して、おが屑２１に、「渦」状の流動形態を発生させることができる。
【００５９】
また、上記実施形態においては、多孔質材としておが屑を用いる場合について説明したが、本発明はこの構成に限定されず、例えば、わら、籾殻、椰子殻等の植物系材料や、活性炭、ゼオライト等の無機材料等を用いることも可能である。
【００６０】
また、上記実施形態において、尿受けユニット３０は、図２に示すように、その右方上端部３６と、本体ケーシング１０の右方上端部１６とがヒンジ結合されている場合について説明したが、本発明はこの構成に限定されない。したがって、例えば、この尿受けユニット３０が、本体ケーシング１０から着脱自在に構成されていてもよい。このような構成によれば、必要に応じて尿受けユニット３０を本体ケーシング１０から取り外し、洗浄処理等を容易に行うことができる。また、尿受けユニット３０を本体ケーシング１０から取り外すことによって、本体ケーシング１０内の処理槽２０の取り付け・取り外しを容易に行うことができる。
【図面の簡単な説明】
【００６１】
【図１】本発明の実施形態にかかる有機廃棄物を微生物分解処理する分解処理部を備えたトイレの概略断面模式図を示したものである。
【図２】図１に示されたトイレの尿受けユニットを開放した状態の概略断面模式図を示したものである。
【図３】図１に示されたトイレの便座に使用者が着座した状態の概略断面模式図を示したものである。
【図４】本実施形態にかかるトイレを構成する処理槽、攪拌翼、および駆動手段の拡大概略断面模式図を示したものである。
【図５】図４のＶ部領域（破線領域）の部分拡大断面図を示したものであって、図５（ａ）は、駆動軸と被駆動軸とが装着状態にある図を示し、図５（ｂ）は、駆動軸と被駆動軸とが離脱状態にある図を示している。
【図６】本実施形態にかかるトイレにおける処理槽内のおが屑の流動状態を説明するための概略断面模式図であって、図６（ａ）が初期状態を示す図、図６（ｂ）が所定時間流動した後の状態を示す図である。
【図７】本実施形態にかかるトイレを構成する攪拌翼を説明するための概略図であって、図７（ａ）は側面図を示し、図７（ｂ）は図７（ａ）の上面図を示し、図７（ｃ）は図７（ａ）の矢視線VII方向側面図を示している。
【図８】本実施形態にかかるトイレを構成する攪拌翼の展開図を示している。
【図９】他の実施形態にかかるトイレを構成する攪拌翼を説明するための概略図であって、図９（ａ）は側面図を示し、図９（ｂ）は図９（ａ）の上面図を示し、図９（ｃ）は図９（ａ）の矢視線IX方向側面図を示している。
【符号の説明】
【００６２】
１…トイレ
１０…本体ケーシング、１２…尿容器、１３…尿受け部、１４…尿配管、１６…本体ケーシング右方上端部
２０…処理槽、２０Ａ…処理槽底面、２０Ｂ…、処理槽側面、２１…おが屑、２４…ヒータ
３０…尿受けユニット、３１…糞投入部、３２…尿投入部、３３…尿排出部、３６…尿受けユニット右方上端部
４０…便座、４１…開口部
５０…蓋部
６０…駆動手段、６１…制御部、６２…駆動部、６３…駆動軸
７０…攪拌翼、７１…第一翼部、７２…第二翼部、７３…第三翼部、７４…第四平板翼部、７５…第五傾斜翼部、７９…中央部、７９Ａ…取付孔
８０…展開部材、８１…第一展開部、８２…第二展開部、８３…第三展開部、８４…第四展開部、８５…第五展開部、８９…中央部
９１…被駆動軸、９２…軸受け部、９３…シール部材、９４…ボルト部
１００…攪拌翼、１０２…第二傾斜翼部、１０３…第三平板翼部、１０４…第四平板翼部、１０５…第五傾斜翼部、１０６…垂直翼部、１０９…中央部
【図１】
2006218166.tif 000003
【図２】
2006218166.tif 000004
【図３】
2006218166.tif 000005
【図４】
2006218166.tif 000006
【図５】
2006218166.tif 000007
【図６】
2006218166.tif 000008
【図７】
2006218166.tif 000009
【図８】
2006218166.tif 000010
【図９】
2006218166.tif 000011